(57)【要約】【課題】鉄筋の納まりを考慮した鉄筋工事モデルを容易に作成する。【解決手段】鉄筋工事モデル作成装置１００は、鉄筋コンクリート造の建築物又は前記建築物を構成する構造部材の必要鉄筋量を含む構造解析モデルＭ１０を取得する構造解析モデル取得部１１０と、建築物又は構造部材における納まりを考慮した鉄筋の位置情報がテキスト形式で記録された鉄筋情報Ｄ１０を取得する鉄筋情報取得部１１２と、構造解析モデルＭ１０及び鉄筋情報Ｄ１０から鉄筋の納まりが考慮された鉄筋工事モデルＭ２０を作成するモデル作成部１１４と、を備えている。【選択図】図１
2022003459.tif 000002
【特許請求の範囲】
【請求項１】
鉄筋コンクリート造の建築物又は前記建築物を構成する構造部材の必要鉄筋量を含む構造解析モデルを取得する構造解析モデル取得部と、
前記建築物又は前記構造部材における納まりを考慮した鉄筋の位置情報がテキスト形式で記録された鉄筋情報を取得する鉄筋情報取得部と、
前記構造解析モデル及び前記鉄筋情報から前記鉄筋の納まりが考慮された鉄筋工事モデルを作成するモデル作成部と、
を備えた鉄筋工事モデル作成装置。
【請求項２】
前記構造解析モデルは、ＳＴ−Ｂｒｉｄｇｅ形式で記録されている、
請求項１に記載の鉄筋工事モデル作成装置。
【請求項３】
前記鉄筋情報は、コンマ区切りテキスト形式又は区切り文字付きテキスト形式で記録されている、
請求項１又は請求項２に記載の鉄筋工事モデル作成装置。
【請求項４】
鉄筋コンクリート造の建築物又は前記建築物を構成する構造部材の必要鉄筋量を含む構造解析モデルを取得する構造解析モデル取得工程と、
前記建築物又は前記構造部材における納まりを考慮した鉄筋の位置情報がテキスト形式で記録された鉄筋情報を取得する鉄筋情報取得工程と、
前記構造解析モデル及び前記鉄筋情報から前記鉄筋の納まりが考慮された鉄筋工事モデルを作成するモデル作成工程と、
を備えた鉄筋工事モデル作成方法。
【発明の詳細な説明】
【技術分野】
【０００１】
本発明は、鉄筋工事モデル作成装置及び鉄筋工事モデル作成方法に関する。
【背景技術】
【０００２】
特許文献１には、コンクリート部材の情報管理装置及びコンクリート部材の情報管理方法に関する技術が開示さされている。この先行技術では、情報管理装置は、建築物における鉄筋関連要素を有するコンクリート部材の情報を管理する。また、情報管理装置は、コンクリート部材の管理対象箇所における鉄筋関連要素の位置を特定する位置情報を格納する位置情報と、管理対象箇所における鉄筋関連要素の管理条件を特定する条件情報を格納する条件情報と、位置情報に格納された位置情報と、条件情報に格納された条件情報とに基づいて管理対象箇所における鉄筋関連要素を管理するための第１〜第４管理情報を生成する管理情報生成部と、管理情報生成部にて生成された管理情報を表示する表示部と、を備えている。
【０００３】
特許文献２には、コンクリート建造物用の配筋施工図とその自動作成装置と方法に関する技術が開示されている。この先行技術では、配筋施工図は、鉄筋施工に必要な鉄筋施工情報及び作図に必要な定義データから作図する作図手段によって自動作成される。そして、柱と梁の全体配置を把握できる平面図からなり、柱と柱の間に掛け渡される梁の長さを算出し、梁主筋同士の継手を設ける位置を明示してある。
【０００４】
特許文献３には、鉄筋が干渉しないように配置し、施工図を作図する施工図作図システムに関する技術が開示されている。この先行技術では、施工図作図システムは、施工条件と配置位置移動条件の情報が記憶された条件データ記憶手段と、使用する鉄筋の情報を入力する鉄筋情報入力手段と、鉄筋情報入力手段によって入力された鉄筋情報に基づいて、条件データ記憶手段に記憶されている施工条件を満たすように使用する鉄筋の初期配置を決定する初期配置処理手段と、初期配置処理手段によって配置された鉄筋の干渉を検出し、条件データ記憶手段に記憶されている配置位置移動条件を満たしかつ干渉している鉄筋が干渉しないように鉄筋の配置位置を移動する干渉検出・回避処理手段と、干渉検出・回避処理手段によって配置位置を移動した鉄筋を含む最終配置位置情報を表示する表示手段と、を備えている。
【０００５】
非特許文献１には、設計者から鉄筋工事協力会社まで使える鉄筋工事用のＢＩＭ（Ｂｕｉｌｄｉｎｇ Ｉｎｆｏｒｍａｔｉｏｎ Ｍｏｄｅｌ）ソフトウェアが開示されている。
【先行技術文献】
【特許文献】
【０００６】
【特許文献１】特開２０１６−０４５７４１号公報
【特許文献２】特開２０１１−０２２６９６号公報
【特許文献３】特開２００９−０３０４０３号公報
【非特許文献】
【０００７】
【非特許文献１】「設計者から鉄筋工事協力会社まで使える！  「鉄筋工事BIMソフト〜ＲＣ一貫生産支援システム」の開発とプロジェクトへの適用」  ２０２０年０５月２９日検索、インターネット＜URL:https://www.takenaka.co.jp/news/2015/10/06/index.html＞
【発明の概要】
【発明が解決しようとする課題】
【０００８】
鉄筋工事の際に利用可能なＢＩＭ（Ｂｕｉｌｄｉｎｇ Ｉｎｆｏｒｍａｔｉｏｎ Ｍｏｄｅｌ）ソフトウェア等では、構造解析ソフトウェア等で作成した構造解析モデルを入力して鉄筋工事モデルを作成する場合がある。しかし、この構造解析モデルのみで作成した鉄筋工事モデルは、鉄筋の納まりが考慮されないで配筋されるため、納まりを考慮した鉄筋位置に修正する必要があり、手間がかかる。
【０００９】
本発明は、上記事実を鑑み、鉄筋の納まりを考慮した鉄筋工事モデルを容易に作成することが目的である。
【課題を解決するための手段】
【００１０】
第一態様は、鉄筋コンクリート造の建築物又は前記建築物を構成する構造部材の必要鉄筋量を含む構造解析モデルを取得する構造解析モデル取得部と、前記建築物又は前記構造部材における納まりを考慮した鉄筋の位置情報がテキスト形式で記録された鉄筋情報を取得する鉄筋情報取得部と、前記構造解析モデル及び前記鉄筋情報から前記鉄筋の納まりが考慮された鉄筋工事モデルを作成するモデル作成部と、を備えた鉄筋工事モデル作成装置である。
【００１１】
第一態様の鉄筋工事モデル作成装置では、鉄筋コンクリート造の建築物又は建築物を構成する構造部材の必要鉄筋量を含む構造解析モデルと、建築物又は構造部材における納まりを考慮した鉄筋の位置情報がテキスト形式で記録された鉄筋情報と、を取得し、これら構造解析モデル及び鉄筋情報から鉄筋の納まりが考慮された鉄筋工事モデルを作成する。よって、鉄筋の納まりを考慮して、鉄筋位置を修正する作業が不要である。
【００１２】
また、鉄筋情報はテキスト形式で記録されているので、鉄筋情報の作成が容易である。
【００１３】
第二態様は、前記構造解析モデルは、ＳＴ−Ｂｒｉｄｇｅ形式で記録されている、第一態様に記載の鉄筋工事モデル作成装置である。
【００１４】
第二態様の鉄筋工事モデル作成装置では、構造解析モデルは、ＢＩＭ分野又は設計分野では一般的なＳＴ−Ｂｒｉｄｇｅ形式で記録されている。よって、例えば、市販の構造解析ソフトウェアを用いて容易に構造解析モデルを作成することができる。
【００１５】
第三態様は、前記鉄筋情報は、コンマ区切りテキスト形式又は区切り文字付きテキスト形式で記録されている、第一態様又は第二態様に記載の鉄筋工事モデル作成装置である。
【００１６】
第三態様の鉄筋工事モデル作成装置では、鉄筋情報は、コンマ区切りテキスト形式又は区切り文字付きテキスト形式で記録されている。よって、例えば、市販の表計算ソフトウェアを用いて容易に鉄筋情報を作成することができる。
【００１７】
第四態様は、鉄筋コンクリート造の建築物又は前記建築物を構成する構造部材の必要鉄筋量を含む構造解析モデルを取得する構造解析モデル取得工程と、前記建築物又は前記構造部材における納まりを考慮した鉄筋の位置情報がテキスト形式で記録された鉄筋情報を取得する鉄筋情報取得工程と、前記構造解析モデル及び前記鉄筋情報から前記鉄筋の納まりが考慮された鉄筋工事モデルを作成するモデル作成工程と、を備えた鉄筋工事モデル作成方法である。
【００１８】
第四態様の鉄筋工事モデル作成方法では、鉄筋コンクリート造の建築物又は建築物を構成する構造部材の必要鉄筋量を含む構造解析モデルと、建築物又は構造部材における納まりを考慮した鉄筋の位置情報がテキスト形式で記録された鉄筋情報と、を取得し、これら構造解析モデル及び鉄筋情報から鉄筋の納まりが考慮された鉄筋工事モデルを作成する。よって、鉄筋の納まりが考慮して、鉄筋位置を修正する作業が不要である。
【００１９】
また、鉄筋情報はテキスト形式で記録されているので、鉄筋情報の作成が容易である。
【発明の効果】
【００２０】
本発明によれば、鉄筋の納まりを考慮した鉄筋工事モデルを容易に作成することができる。
【図面の簡単な説明】
【００２１】
【図１】鉄筋工事モデル作成装置の機能構成を示すブロック図である。
【図２】構造図である。
【図３】鉄筋情報が記載された表である。
【図４】（Ａ）は仮モデルの配筋図であり、（Ｂ）は鉄筋工事モデルの配筋図である。
【図５】鉄筋工事モデルの作成工程を示すフローチャートである。
【図６】鉄筋工事モデルをモニターに表示した例であり、（Ａ）は見上げモードの表示画面の例であり、（Ｂ）は３Ｄ表示の例である。
【発明を実施するための形態】
【００２２】
＜実施形態＞
本発明の一実施形態の鉄筋工事モデル作成装置について説明する。
【００２３】
図１に示す本発明の一実施形態に係る鉄筋工事モデル作成装置１００は、鉄筋工事を対象に設計から施工段階まで活用できる鉄筋工事モデルＭ２０を作成する装置である。具体的には、鉄筋工事モデル作成装置１００は、構造解析計算によって作成された構造解析モデルＭ１０と構造図から作成された鉄筋情報Ｄ１０とを用いて鉄筋工事モデルＭ２０を作成する。なお、構造解析モデルＭ１０及び構造図から作成された鉄筋情報Ｄ１０の説明は後述する。
【００２４】
鉄筋工事モデルＭ２０は、所謂ＢＩＭ（Ｂｕｉｌｄｉｎｇ Ｉｎｆｏｒｍａｔｉｏｎ Ｍｏｄｅｌ）である。具体的には、鉄筋工事モデルＭ２０には、施工用の配筋情報や属性情報（例えば、金具取付位置）等の鉄筋工事の際に必要な各種情報が含まれている。よって、鉄筋工事モデルＭ２０を用いることで、施工段階においては、工事担当者が鉄筋納まり検討図の作成や鉄筋工事の施工計画を検討することができる。更に、鉄筋工事においては、施工を考慮した加架構図、例えば鉄筋毎の継方、長さ及び形状等を示す図面や集計表等の作成を行うことができる。なお、図６は、建築物５０の鉄筋工事モデルＭ２０を後述するモニター１２０に表示した一例である。
【００２５】
図１に示すように、鉄筋工事モデル作成装置１００は、機能的には、構造解析モデル取得部１１０と、鉄筋情報取得部１１２と、鉄筋工事モデル作成部１１４と、を有して構成されている。なお、作成された鉄筋工事モデルＭ２０は、表示手段の一例としてのモニター１２０に表示される。
【００２６】
構造解析モデルＭ１０は、構造解析モデル作成装置１５０によって作成される。構造解析モデル作成装置１５０は、図示していないＣＰＵ（Central Processing Unit）、各処理ルーチンを実現するためのプログラム等を記憶したＲＯＭ（Read Only Memory）、データを一時的に記憶するＲＡＭ（Random Access Memory）、記憶手段の一例としてのメモリ及びネットワークインタフェース等を含んだコンピュータによって構成されている。また、ＣＰＵがＲＯＭまたはストレージに記憶されたプログラムを読み出し、実行することにより、構造解析モデルＭ１０の作成が実現される。
【００２７】
構造解析モデル作成装置１５０は、鉄筋コンクリート造の建築物（一例として、図２、図３及び図６の建築物５０）又は建築物を構成する構造部材の必要鉄筋量を含む構造解析モデルＭ１０を作成する。なお、建築物を構成する構造部材とは、柱（一例として図２の柱３２及び図４の柱２０を参照）、梁（一例として図２の梁３０及び図４の梁１０を参照）、スラブ及び壁等である。構造部材には、工場などで製造されるプレキャストコンクリートが含まれる。
【００２８】
必要鉄筋量は、構造部材における一断面における鉄筋（一例として図２の柱主筋Ｈ１〜Ｈ２０及び梁主筋Ｓ１〜Ｓ３、図４の柱主筋２１、２２、２３、２４、２５、２６及び梁主筋１、１４、１６等を参照）の鉄筋本数及び鉄筋径等の構造解析に必要な鉄筋量の情報である。なお、構造解析モデルＭ１０には、必要鉄筋量以外に、構造図の伏図情報、断面リストに相当するモデルデータ、各構造部材の寸法や配置等の構造解析に必要な情報が含まれている。
【００２９】
構造解析モデルＭ１０を作成するプログラムには、市販の構造解析ソフトウェアを用いることが可能である。なお、本実施形態では、（株）竹中工務店が開発及び発売している構造設計システムＢＲＡＩＮを用いて構造解析モデルＭ１０を作成したが、これに限定されるものではない。
【００３０】
構造解析モデル取得部１１０は、構造解析モデル作成装置１５０が作成した構造解析モデルＭ１０を取得する。
【００３１】
鉄筋情報取得部１１２は、各鉄筋の納まりを考慮した鉄筋の位置情報を含む鉄筋情報Ｄ１０を取得する。鉄筋情報Ｄ１０は、納まりを考慮した鉄筋の位置情報がテキスト形式で記録された情報であり、例えば、ＵＳＢメモリ等に記憶されている。
【００３２】
本実施形態では、鉄筋情報Ｄ１０は、コンマ区切りテキスト形式（ｃｓｖ）で記録されている。更に、本実施形態では、鉄筋情報は、構造図を元にＥｘｃｅｌ（登録商標）等の表計算ソフトウェアを用いて表Ｈ１０（図３参照）を作成し、コンマ区切りテキスト形式（ｃｓｖ）でデータを保存し、作成している。
【００３３】
鉄筋工事モデル作成部１１４は、取得した構造解析モデルＭ１０及び鉄筋情報Ｄ１０から鉄筋の納まりが考慮された鉄筋工事モデルＭ２０を作成する。
【００３４】
鉄筋工事モデル作成装置１００のハードウェア構成は、図示していないＣＰＵ（Central Processing Unit）、各処理ルーチンを実現するためのプログラム等を記憶したＲＯＭ（Read Only Memory）、データを一時的に記憶するＲＡＭ（Random Access Memory）、記憶手段の一例としてのメモリ及びネットワークインタフェース等を含んだコンピュータによって構成されている。また、前述した構造解析モデル取得部１１０、鉄筋情報取得部１１２及び鉄筋工事モデル作成部１１４の各機能構成は、ＣＰＵがＲＯＭまたはストレージに記憶されたプログラムを読み出し、実行することにより実現される。
【００３５】
（鉄筋情報）
つぎに、構造図から鉄筋情報Ｄ１０を作成する方法の一例について説明する。
【００３６】
図２は、梁３０と柱３２との仕口部３４の鉄筋の配置を示す構造図Ｋ１０の一例である。構造図Ｋ１０は、ＣＡＤの画面でもよいし、紙に印刷した図面でもよい。
【００３７】
図３は、この構造図Ｋ１０（図２参照）から作成した鉄筋情報Ｄ１０の表Ｈ１０である。この表Ｈ１０は、設計者が表計算ソフトウェアに入力して作成する。
【００３８】
図３の表Ｈ１０における建築物５０の３階のＣの柱が柱３２であり、３階のＧの梁が梁３０である。
【００３９】
図２の柱主筋Ｈ１〜Ｈ２の位置情報及び梁主筋Ｓ１〜Ｓ３の位置情報は、図３の表Ｈ１０に入力されている。図３の表Ｈ１０は、各主筋同士の間隔に関する表であり、各主筋の間隔寸法にのみ符号が付与されている。例えば、ｄｔ１Ｌ及びｄｔ１Ｒは、柱の左右側面又は梁の左右側面からの主筋の距離であり、Ｐ１〜Ｐ１０は各主筋同士の距離である。また、図３の表Ｈ１０で、Ｐ５以降は図２の構成では、データ無しの領域になるので、「０」が入力されている。各主筋本数が増えれば、それに応じてＰ５〜Ｐ１０に数字が入力される。
【００４０】
なお、図３の表Ｈ１０の書式は一例であって、これに限定されるものではない。どのような書式の表であってもよい。
【００４１】
そして、この表１０をコンマ区切りテキスト形式（ｃｓｖ）でＵＳＢメモリ等に保存することで、鉄筋情報Ｄ１０が作成される。
【００４２】
（鉄筋工事モデルの作成方法）
次に、鉄筋工事モデルの作成方法の一例の概要を説明する。
【００４３】
まず、図１に示す鉄筋工事モデル作成部１１４は、構造解析モデルＭ１０を用いて仮配筋された仮モデルＭ１５（図４（Ａ）参照）を作成する。具体的には、構造解析モデルＭ１０から躯体情報等を取り出してモデリングし、仮モデルＭ１５を作成する。
【００４４】
しかし、この仮モデルＭ１５（図４（Ａ）参照）は、構造解析モデルＭ１０を用いて作成するため、鉄筋の取り合いが考慮されていない。よって、この仮モデルＭ１５では、鉄筋同士が干渉している部位がある。一例として、図４（Ａ）の梁１０の梁主筋１２、１４、１６と、柱２０の柱主筋２１、２２、２３、２４、２５、２６と、が重なっており、干渉している。
【００４５】
よって、図１に示す鉄筋工事モデル作成部１１４は、取り合いを考慮した鉄筋情報Ｄ１０（図３も参照）を用いて鉄筋の位置を移動させる。これにより、鉄筋の取り合いが考慮された鉄筋工事モデルＭ２０が完成する。具体的には、図４（Ｂ）に示すように柱２０の柱主筋２１、２２、２３、２４、２５、２６の位置を移動させる。
【００４６】
なお、本実施形態では、柱主筋２１、２２、２３、２４、２５、２６に掛け渡されている補強筋３２，３４，３６も同じように移動させる。
【００４７】
このように、図４（Ａ）に示す仮モデルＭ１５と図４（Ｂ）に示す鉄筋工事モデルＭ２０との違いは、鉄筋位置である。
【００４８】
別の観点から説明すると、仮モデルＭ１５を鉄筋の取り合いを考慮して鉄筋位置を修正したものが鉄筋工事モデルＭ２０である。
【００４９】
なお、本実施形態では、仮モデルＭ１５の作成は、特開２０１６−０４５７４１号公報の技術及び「設計者から鉄筋工事協力会社まで使える！  「鉄筋工事BIMソフト〜ＲＣ一貫生産支援システム」の開発とプロジェクトへの適用」  ２０２０年０５月２９日検索、インターネット＜URL:https://www.takenaka.co.jp/news/2015/10/06/index.html＞」の技術を利用しているが、これに限定されるものではない。
【００５０】
次に、フローチャートを用いて鉄筋工事モデルの作成方法の一例を説明する。
【００５１】
図５は、鉄筋工事モデル作成装置１００による鉄筋工事モデルＭ２０（図１参照）の作成の流れを示すフローチャートである。鉄筋工事モデル作成装置１００（図１参照）の図示されていないＣＰＵがＲＯＭ又はストレージからプログラムを読み出して、ＲＡＭに展開して実行することにより、鉄筋工事モデルＭ２０（図１参照）の作成処理が行なわれる。
【００５２】
ステップＳ１０２では、鉄筋工事モデル作成装置１００は、構造解析モデル作成装置１５０（図１参照）から構造解析モデルＭ１０（図１参照）が入力され、構造解析モデルＭ１０を取得する。
【００５３】
ステップＳ１０４では、鉄筋工事モデル作成装置１００は、構造解析モデルＭ１０から仮配筋された仮モデルＭ１５（図１、図４（Ａ）参照）を作成する。
【００５４】
ステップＳ１０６では、鉄筋工事モデル作成装置１００は、鉄筋情報Ｄ１０（図１参照）が入力され、鉄筋情報Ｄ１０を取得する。
【００５５】
ステップＳ１０８では、鉄筋情報Ｄ１０から鉄筋の位置を移動させ、鉄筋工事モデルＭ２０（図１、図４（Ｂ）参照）を作成する。
【００５６】
なお、上記ステップの順番は、これに限定されない。
【００５７】
ステップＳ１０４よりも前にステップＳ１０６を行ってもよい。また、ステップＳ１０６は、ステップ１０２よりも前に行ってもよいし、ステップ１０２と同時に行ってもよい。
【００５８】
＜作用及び効果＞
次に本実施形態の作用及び効果について説明する。
【００５９】
鉄筋工事モデル作成装置１００では、必要鉄筋量を含む構造解析モデルＭ１０と、納まりを考慮した鉄筋の位置情報がテキスト形式で記録された鉄筋情報Ｄ１０と、を取得し、これら構造解析モデルＭ１０及び鉄筋情報Ｄ１０から鉄筋の納まりが考慮された鉄筋工事モデルＭ２０を作成する。よって、鉄筋の納まりを考慮して、鉄筋位置を修正する修正作業が不要である。
【００６０】
なお、「鉄筋位置の修正作業」とは、自動作成された仮モデルＭ１５を見ながら数値入力やマウス等による選択・移動による鉄筋位置の修正である。より具体的には、例えば、モニター１２０を見ながら、図４（Ａ）の仮モデルＭ１５の柱２０の柱主筋２１、２２、２３、２４、２５、２６をそれぞれマウス等を用いて手作業で移動させて鉄筋工事モデルＭ２０を完成させる作業である。或いは、モニター１２０の入力画面を見ながら、柱主筋２１、２２、２３、２４、２５、２６の鉄筋位置をそれぞれ個別にモニター１２０に表示される入力画面に座標データ等を数値入力して鉄筋工事モデルＭ２０を完成させる作業である。
【００６１】
また、鉄筋情報Ｄ１０は、コンマ区切りテキスト形式で記録されているので、市販の表計算ソフトウェアを用いて容易に鉄筋情報Ｄ１０を作成することができる。
【００６２】
また、構造解析モデルＭ１０は、ＢＩＭ（Ｂｕｉｌｄｉｎｇ Ｉｎｆｏｒｍａｔｉｏｎ Ｍｏｄｅｌ）分野又は設計分野では一般的なＳＴ−Ｂｒｉｄｇｅ形式で記録されている。よって、市販の構造解析ソフトウェアを用いて容易に構造解析モデルＭ１０を作成することができる。
【００６３】
＜その他＞
尚、本発明は上記実施形態に限定されない。
【００６４】
例えば、上記実施形態では、鉄筋情報Ｄ１０は、コンマ区切りテキスト形式で記録されていたが、これに限定されない。鉄筋情報Ｄ１０は、区切り文字付きテキスト形式又はタブ区切りテキスト形式で記録されていてもよい。更に、鉄筋情報Ｄ１０は、これら以外のテキスト形式で記録されていてもよい。
【００６５】
また、例えば、上記実施形態では、構造解析モデルＭ１０は、ＳＴ−Ｂｒｉｄｇｅ形式で記録されているが、これに限定されない。構造解析モデルＭ１０は、他の形式で記録されていてもよい。
【００６６】
また、例えば、上記実施形態では、構造解析モデルＭ１０を用いて仮配筋された仮モデルＭ１５を作成し、取り合いを考慮した鉄筋情報Ｄ１０を用いて仮モデルＭ１５の鉄筋の位置を移動させて鉄筋工事モデルＭ２０を作成したが、これに限定されない。仮モデルＭ１５を作成することなく、構造解析モデルＭ１０及び鉄筋情報Ｄ１０を用いて鉄筋工事モデルＭ２０を作成してもよい。
【００６７】
また、例えば、上記実施形態では、鉄筋工事モデルＭ２０は、施工用の配筋情報や属性情報（例えば、金具取付位置等）等の情報が含まれ、施工段階においては、工事担当者が鉄筋納まり検討図の作成や鉄筋工事の施工計画を検討することができると共に鉄筋工事においては、施工を考慮した加架構図、例えば鉄筋毎の継方、長さ及び形状等を示す図面や集計表等の作成を行うことができるモデルであったが、これに限定されない。鉄筋工事モデルＭ２０には、鉄筋工事以外の施工等に必要な情報が含まれているＢＩＭ（Ｂｕｉｌｄｉｎｇ Ｉｎｆｏｒｍａｔｉｏｎ Ｍｏｄｅｌ）であってもよい。
【００６８】
更に、本発明の要旨を逸脱しない範囲において種々なる態様で実施し得る。
【符号の説明】
【００６９】
１００      鉄筋工事モデル作成装置
１１０      構造解析モデル取得部
１１２      鉄筋情報取得部
１１４      モデル作成部
Ｄ１０      鉄筋情報
Ｍ１０      構造解析モデル
Ｍ１５      仮モデル
Ｍ２０      鉄筋工事モデル
【図１】
2022003459.tif 000003
【図２】
2022003459.tif 000004
【図３】
2022003459.tif 000005
【図４】
2022003459.tif 000006
【図５】
2022003459.tif 000007
【図６】
2022003459.tif 000008